(57)【要約】【課題】オイルパルスユニットとモータとを有した電動工具内部を効率的に冷却できる電動工具を提供する。【解決手段】モータ１６とオイルパルスユニット１８をハウジング１２内部に収納したインパクトドライバー１０において、モータ１６の回転軸２０にラジアルファン３０が設けられ、ラジアルファン３０の外周部に位置するハウジング１２に排気口３２が複数開口し、オイルパルスユニット１８より前方に位置するハウジング１２の前部に前吸気口３４が複数開口し、モータ１６より後方に位置するハウジング１２の後部に後吸気口３６が複数開口し、ラジアルファン３０が軸方向に対して双方向から吸い込むものである。【選択図】      図１
2007007821.tif 000002
【特許請求の範囲】
【請求項１】
モータと、前記モータの前部から突出した回転軸に連結されたオイルパルスユニットとがハウジングに収納され、このオイルパルスユニットの出力軸が前記ハウジングの前部から突出した電動工具において、
前記回転軸にラジアルファンが設けられ、
前記ラジアルファンの外周部に位置する前記ハウジングに排気口が複数開口し、
前記オイルパルスユニットより前方に位置する前記ハウジングの前部に前吸気口が複数開口し、
前記モータより後方に位置する前記ハウジングの後部に後吸気口が複数開口し、
前記ラジアルファンが軸方向に対して双方向から吸い込み、外周方向に排気するものである
ことを特徴とする電動工具。
【請求項２】
前記ラジアルファンの前方と後方にリング状の導風板がそれぞれ設けられた
ことを特徴とする請求項１記載の電動工具。
【請求項３】
モータと、前記モータの前部から突出した出力側の回転軸に連結されたオイルパルスユニットとがハウジングに収納され、このオイルパルスユニットの出力軸が前記ハウジングの前部から突出した電動工具において、
前記モータの出力側の回転軸に軸流ファンが設けられ、
前記モータの反出力側の回転軸にラジアルファンが設けられ、
前記ラジアルファンの外周部に位置する前記ハウジングに排気口が複数開口し、
前記オイルパルスユニットより前方に位置する前記ハウジングの前部に吸気口が複数開口した
ことを特徴とする電動工具。
【請求項４】
前記電動工具が、インパクトドライバー、または、インパクトレンチである
ことを特徴とする請求項１から３の中で少なくとも一項に記載の電動工具。
【請求項５】
前記モータが、ブラシレスＤＣモータである
ことを特徴とする請求項１から３の中で少なくとも一項に記載の電動工具。
【請求項６】
前記モータの駆動回路が配線された配線基板が、前記モータの下方に配置されている
ことを特徴とする請求項１から３の中で少なくとも一項に記載の電動工具。
モータ１６の配線基板２２が、モータ１６の下方に配置されているので、上記冷却の妨げにならない。
【発明の詳細な説明】
【技術分野】
【０００１】
本発明は、オイルパルスユニットを用いた電動工具に関するものである。
【背景技術】
【０００２】
インパクトドライバー等においては、そのハウジング内部にモータと、このモータに連結されたオイルパルスユニットが設けられ、このオイルパルスユニットの出力軸がハウジングから突出している。オイルパルスユニットは、回転駆動されるライナーのオイルが充填された空間に出力軸を位置させると共に、出力軸に外周方向に向けてバネ付勢されてライナー内面を摺接するベーンを設けたもので、出力軸が負荷のために停止しているとき、モータに連結されたライナーの回転でオイルが充填された空間がベーンで仕切られた時点でオイルの圧力が急上昇し、この圧力によってベーン及び出力軸に回転方向の衝撃を加えるものである。
【特許文献１】特開２００５−１４１４６公報
【発明の開示】
【発明が解決しようとする課題】
【０００３】
上記のような電動工具においては、オイルパルスユニット内部のオイルがベーンの摺動によって温度が上昇し、また、モータも駆動によって発熱する。そのため、このオイルパルスユニットとモータの両方を効率よく冷却する必要がある。
【０００４】
そこで、本発明は上記問題点に鑑み、オイルパルスユニットとモータとを有した電動工具内部を効率的に冷却できる電動工具を提供する。
【課題を解決するための手段】
【０００５】
請求項１に係る発明は、モータと、前記モータの前部から突出した回転軸に連結されたオイルパルスユニットとがハウジングに収納され、このオイルパルスユニットの出力軸が前記ハウジングの前部から突出した電動工具において、前記回転軸にラジアルファンが設けられ、前記ラジアルファンの外周部に位置する前記ハウジングに排気口が複数開口し、前記オイルパルスユニットより前方に位置する前記ハウジングの前部に前吸気口が複数開口し、前記モータより後方に位置する前記ハウジングの後部に後吸気口が複数開口し、前記ラジアルファンが軸方向に対して双方向から吸い込み、外周方向に排気するものであることを特徴とする電動工具である。
【０００６】
請求項２に係る発明は、前記ラジアルファンの前方と後方にリング状の導風板がそれぞれ設けられたことを特徴とする請求項１記載の電動工具である。
【０００７】
請求項３に係る発明は、モータと、前記モータの前部から突出した出力側の回転軸に連結されたオイルパルスユニットとがハウジングに収納され、このオイルパルスユニットの出力軸が前記ハウジングの前部から突出した電動工具において、前記モータの出力側の回転軸に軸流ファンが設けられ、前記モータの反出力側の回転軸にラジアルファンが設けられ、前記ラジアルファンの外周部に位置する前記ハウジングに排気口が複数開口し、前記オイルパルスユニットより前方に位置する前記ハウジングの前部に吸気口が複数開口したことを特徴とする電動工具である。
【０００８】
請求項４に係る発明は、前記電動工具が、インパクトドライバー、または、インパクトレンチであることを特徴とする請求項１から３の中で少なくとも一項に記載の電動工具である。
【０００９】
請求項５に係る発明は、前記モータが、ブラシレスＤＣモータであることを特徴とする請求項１から３の中で少なくとも一項に記載の電動工具である。
【００１０】
請求項６に係る発明は、前記モータの駆動回路が配線された配線基板が、前記モータの下方に配置されていることを特徴とする請求項１から３の中で少なくとも一項に記載の電動工具である。
【発明の効果】
【００１１】
請求項１に係る発明の電動工具であると、モータが回転するとラジアルファンも回転し、このラジアルファンは軸方向に対して双方向から吸い込み外周方向に排気するものであるため、オイルパルスユニットに関しては前吸気口から排気口に流れる空気によって冷却され、モータに関しては後吸気口から排気口に流れる空気によって冷却される。
【００１２】
請求項３に係る発明の電動工具であると、軸流ファンによって吸気口からオイルパルスユニットを経て空気が流れ、モータのラジアルファンが外周方向に空気を流すことにより軸流ファンから送られた空気が排気口から外に排気される。このときの空気によってモータも冷却される。
【発明を実施するための最良の形態】
【００１３】
以下、本発明の一実施形態である電動工具１０について、図面に基づいて説明する。
【００１４】
（第１の実施形態）
第１の実施形態の電動工具１０について図１に基づいて説明する。
【００１５】
本実施形態の電動工具１０は、インパクトドライバーである。
【００１６】
電動工具１０は、ピストル型のハウジング１２を有し、このハウジング１２の胴部１４内部には後方からブラシレスＤＣモータ（以下、単にモータという）１６と、オイルパルスユニット１８が収納され、オイルパルスユニット１８の出力軸がハウジング１２の胴部１４の前端部から突出している。
【００１７】
モータ１６の出力側の回転軸２０はオイルパルスユニット１８のライナーに連結され、モータ１６が回転することによってオイルパルスユニット１８も駆動する。
【００１８】
モータ１６の下方には、このモータ１６を駆動するための駆動回路を有した配線基板２２が設けられている。
【００１９】
胴部１４から下方に突出した把持部２４の下端には、充電池２６が着脱自在に設けられている。また、この把持部２４の上端部には、トリガースイッチ２８が設けられている。
【００２０】
モータ１６の回転軸２０には、ラジアルファン３０が設けられている。このラジアルファン３０は、軸方向に対して前方と後方から空気を吸い込み外周方向に配置する双方向のラジアルファンである。
【００２１】
このラジアルファン３０の外周に位置するハウジング１２には、複数の排気口３２が設けられている。
【００２２】
オイルパルスユニット１８の前方に位置するハウジング１２には複数の前吸気口３４が設けられている。また、モータ１６の後方に位置するハウジング１２には、複数の後吸気口３６が設けられている。
【００２３】
（２）電動工具１０の動作状態
次に、この電動工具１０の動作状態について説明する。
【００２４】
作業者が把持部２４を手に持ってトリガースイッチ２８を押すと、モータ１６が回転し、オイルパルスユニット１８が衝撃を与えながら出力軸３８を回転させる。
【００２５】
このとき、オイルパルスユニット１８とモータ１６が発熱を開始する。しかし、回転軸２０に取り付けられたラジアルファン３０が回転することにより、前吸気口３４から空気が吸い込まれ排気口３２から排気される空気の流れによって、オイルパルスユニット１８が冷却される。また、ラジアルファン３０の回転によって後吸気口３６から吸気された空気がモータを通り排気口３２から排気される。これによってモータ１６も冷却される。また、このモータ１６とオイルパルスユニット１８が冷却されることにより、この電動工具１０を持って作業する作業者に熱が伝わることがない。
【００２６】
（４）変更例
第１の実施形態の電動工具１０の変更例としては、図２に示すように、ラジアルファン３０の前方と後方にドーナツ状の導風板４０，４２を設け、この導風板４０，４２の内周部に空気を通してラジアルファン３０に流れるようにし、導風板４０，４２の間にある排気口３２から空気を排出するようにしてもよい。
【００２７】
この導風板４０，４２を設けるとより効率的にオイルパルスユニット１８とモータ１６の外周部に空気が流れるようになり冷却効果を高めることができる。
【００２８】
（第２の実施形態）
次に、図３に基づいて第２の実施形態の電動工具１０について説明する。
【００２９】
本実施形態と第１の実施形態の異なる点は、冷却を行うファンの構造にある。
【００３０】
本実施形態では、モータ１６の出力側の回転軸２０に軸流ファン４４を設け、モータ１６の反出力側の回転軸４６にラジアルファン４８を設けている。また、ハウジング１２のオイルパルスユニット１８より前方の位置に吸気口５０を設けラジアルファン４８の外周に位置するハウジングに排気口５２を開口している。
【００３１】
この電動工具１０であると、モータ１６が回転すると出力側の回転軸２０と
反出力側の回転軸４６が回転し、軸流ファン４４とラジアルファン４８が回転する。軸流ファン４４は、吸気口５０から空気を吸い込みオイルパルスユニット１８の外周面に空気が流れるようにし、さらに、モータ１６の外周面に空気を流すようにし、ラジアルファン４８がモータ１６の外周面を流れてきた空気を外周方向にある排気口５２から排気する。
【００３２】
これによって、オイルパルスユニット１８とモータ１６の両方を冷却することができると共に、ハウジング１２が熱くなることを防止することができる。
【００３３】
また、モータ１６の配線基板２２が、モータ１６の下方に配置されているので、上記冷却の妨げにならない。
【産業上の利用可能性】
【００３４】
本発明は、インパクトドライバー、インパクトレンチなどの電動工具に好適である。
【図面の簡単な説明】
【００３５】
【図１】第１の実施形態の電動工具の一部縦断面図である。
【図２】第１の実施形態の電動工具の変更例であり、その縦断面図である。
【図３】第２の実施形態の電動工具である。
【符号の説明】
【００３６】
１０  電動工具
１２  ハウジング
１６  モータ
１８  オイルパルスユニット
２０  回転軸
３０  ラジアルファン
３２  排気口
３４  前吸気口
３６  後吸気口
３８  出力軸
【図１】
2007007821.tif 000003
【図２】
2007007821.tif 000004
【図３】
2007007821.tif 000005